(57)【要約】【課題】この発明は、効率よく、かつ、ノイズ等の外乱に影響され難く正確な同期検出及び物理アドレス検出を可能にし得る同期信号検出装置及び同期信号検出方法を提供することを目的としている。【解決手段】同期位相検出信号をＷＤＵ周期でカウントするカウンタ６４の出力と、ＷＤＵをSegment周期でカウントするカウンタ６５の出力とに基づいて、ＳＹＮＣ検出窓生成部６６がＳＹＮＣ窓信号を生成する。一方、同期位相検出信号からそのパターンに基づいて同期信号を検出し検出信号を出力する。そして、ＳＹＮＣ窓発生期間に得られた検出信号を同期検出信号として出力する。【選択図】    図７
2006185547.tif 000002
【特許請求の範囲】
【請求項１】
第１のデータ単位でなる同期領域と前記第１のデータ単位の複数の集合体でなるアドレス領域とを含む第２のデータ単位が繰り返し配列される同期位相検出信号を生成する生成手段と、
前記生成手段で生成された同期位相検出信号を前記第１のデータ単位の周期でカウントした値と、前記第１のデータ単位の数を前記第２のデータ単位の周期でカウントした値とに基づいて、前記同期領域の位置に対応した同期窓信号を発生する発生手段と、
前記生成手段で生成された同期位相検出信号から前記同期領域の状態を判別して、前記アドレス領域の先頭を示す同期信号を検出する検出手段と、
前記発生手段による同期窓信号の発生期間に前記検出手段から出力された検出信号を同期検出信号として出力する出力手段とを具備することを特徴とする同期信号検出装置。
【請求項２】
前記発生手段は、
前記生成手段で生成された同期位相検出信号を前記第１のデータ単位の周期でカウントする第１のカウンタと、
前記第１のカウンタの出力に基づいて前記第１のデータ単位の数を前記第２のデータ単位の周期でカウントする第２のカウンタと、
前記第１及び第２のカウンタの出力に基づいて前記同期領域の位置に対応した同期窓信号を発生する発生部とを具備することを特徴とする請求項１記載の同期信号検出装置。
【請求項３】
前記検出手段は、
前記生成手段で生成された同期位相検出信号のパターンを検出する検出部と、
前記検出部で検出されたパターンが前記同期領域に特有のパターンに対応しているか否かを判定する判定部とを具備することを特徴とする請求項１または２記載の同期信号検出装置。
【請求項４】
前記出力手段から出力された同期検出信号に基づいて、前記同期位相検出信号内の前記アドレス領域の先頭を示すアドレス先頭検出信号を出力するアドレス先頭検出部と、
前記アドレス先頭検出部から出力されたアドレス先頭検出信号に基づいて、該アドレス先頭検出信号の後に続く前記アドレス領域の内容を、該アドレス領域の物理アドレスを示す情報として保持し出力するアドレス保持部とを具備することを特徴とする請求項１乃至３いずれかに記載の同期信号検出装置。
【請求項５】
前記生成手段は、光ディスクから再生されたウォブル信号に基づいて同期位相検出信号を生成しており、前記第１のデータ単位はＷＤＵであり、前記第２のデータ単位はＷＡＰであることを特徴とする請求項１乃至４いずれかに記載の同期信号検出装置。
【請求項６】
第１のデータ単位でなる同期領域と前記第１のデータ単位の複数の集合体でなるアドレス領域とを含む第２のデータ単位が繰り返し配列される同期位相検出信号を生成する第１の工程と、
前記第１の工程で生成された同期位相検出信号を前記第１のデータ単位の周期でカウントした値と、前記第１のデータ単位の数を前記第２のデータ単位の周期でカウントした値とに基づいて、前記同期領域の位置に対応した同期窓信号を発生する第２の工程と、
前記第１の工程で生成された同期位相検出信号から前記同期領域の状態を判別して、前記アドレス領域の先頭を示す同期信号を検出する第３の工程と、
前記第２の工程による同期窓信号の発生期間に前記第３の工程で得られた検出信号を同期検出信号として出力する第４の工程とを具備することを特徴とする同期信号検出方法。
【請求項７】
前記第４の工程で出力された同期検出信号に基づいて、前記同期位相検出信号内の前記アドレス領域の先頭を示すアドレス先頭検出信号を出力する第５の工程と、
前記第５の工程で出力されたアドレス先頭検出信号に基づいて、該アドレス先頭検出信号の後に続く前記アドレス領域の内容を、該アドレス領域の物理アドレスを示す情報として保持し出力する第６の工程とを具備することを特徴とする請求項６記載の同期信号検出方法。
【請求項８】
第１のデータ単位でなる同期領域と前記第１のデータ単位の複数の集合体でなるアドレス領域とを含む第２のデータ単位が繰り返し配列される同期位相検出信号がウォブル変調により記録された光ディスクを回転駆動するモータと、
前記モータにより回転駆動される前記光ディスクからウォブル変調された信号を読み取るピックアップと、
前記ピックアップで読み取られたウォブル変調された信号から前記同期位相検出信号を生成する生成手段と、
前記生成手段で生成された同期位相検出信号を前記第１のデータ単位の周期でカウントした値と、前記第１のデータ単位の数を前記第２のデータ単位の周期でカウントした値とに基づいて、前記同期領域の位置に対応した同期窓信号を発生する発生手段と、
前記生成手段で生成された同期位相検出信号から前記同期領域の状態を判別して、前記アドレス領域の先頭を示す同期信号を検出する検出手段と、
前記発生手段による同期窓信号の発生期間に前記検出手段から出力された検出信号を同期検出信号として出力する出力手段とを具備することを特徴とする光ディスク装置。
【請求項９】
前記出力手段から出力された同期検出信号に基づいて、前記同期位相検出信号内の前記アドレス領域の先頭を示すアドレス先頭検出信号を出力するアドレス先頭検出部と、
前記アドレス先頭検出部から出力されたアドレス先頭検出信号に基づいて、該アドレス先頭検出信号の後に続く前記アドレス領域の内容を、該アドレス領域の物理アドレスを示す情報として保持し出力するアドレス保持部とを具備することを特徴とする請求項８記載の光ディスク装置。
【発明の詳細な説明】
【技術分野】
【０００１】
この発明は、例えば光ディスク装置等に使用される同期信号検出装置及び同期信号検出方法の改良に関する。
【背景技術】
【０００２】
周知のように、現在では、デジタル記録媒体としてＤＶＤ（digital versatile disk）等の光ディスクが普及してきており、これらを再生する光ディスク装置においては高い信頼性が望まれている。このような光ディスクにおいては、記憶領域が螺旋状のトラック上に設けられており、そのアドレス情報にトラック番号が含まれている。
【０００３】
ところで、ＤＶＤは規格自体も進化しており、ハイビジョン対応の次世代ＤＶＤ規格も出来上がってきている。次世代ＤＶＤ規格では、現世代ＤＶＤ規格よりも記録密度が高まるため再生信号のＣＮ比が低下しがちであり、この再生信号から同期信号やアドレス情報を取り出す際に、相対的にノイズ等の外乱の影響を受けやすくなっている。
【０００４】
特許文献１には、１ビット入力の信号をシフトレジスタによりシフトし、パターンとの照合を行なうことにより同期信号を得る構成が開示されている。しかしながら、特許文献１では、１ビット入力信号のためノイズ等の外乱による影響を受けやすい。さらに、次世代規格の場合、同期（ＳＹＮＣ）パターンと物理アドレスパターンとが似ていることもあり、例えば物理アドレスをＳＹＮＣとして誤検出する可能性があり、誤動作がたびたび起こる可能性がある。
【０００５】
さらに、具体的に言えば、特許文献１の回路構成では、ノイズ等の外乱がないときは、所定のＳＹＮＣパターン位置のウォブル信号のうちＳＹＮＣパターン特有の部分をきちんと認識できており、所定の位置でＳＹＮＣ検出されたこと示す同期信号が出力される。これに対し、所定のアドレス位置にあるアドレスパターンの一部がノイズ等の外乱により信号が崩れると、ＳＹＮＣとして誤検出されてしまうことが起き得る。このようにＳＹＮＣを誤検出すると、誤検出したＳＹＮＣに続く信号を誤って物理アドレスとして認識するため正しい物理アドレスが取得できず、ディスク上の正しい位置が分からなくなって、誤動作の原因となる。
【０００６】
また、特許文献２には、２値化した１ビットのウォブル信号（３２Ｔ）を記録周波数１Ｔでサンプリングし、ＳＹＮＣパターンの最初の立ち上がりエッジ（３２Ｔ）でカウンタ（ワードＳＹＮＣカウンタ：１Ｔをカウントアップする）をクリアし、１２８Ｔ後を中心に±ｙ（ｙ：整数）ＳＹＮＣ検出窓を開いて、そのＳＹＮＣ検出窓内で検出された信号をＳＹＮＣとする構成が開示されている。
【０００７】
しかしながら、この特許文献２でも、１ビットのウォブル信号を用いているためノイズ等の外乱の影響を受けやすい。また、ＳＹＮＣパターンの最初の立ち上がりエッジ（３２Ｔ）が正しく認識できなければカウンタはクリアされず、ＳＹＮＣ検出窓も正しい位置に開くことができないため、ＳＹＮＣ誤検出がたびたび起こる可能性がある。
【特許文献１】特開２００３−１８７４５７号公報
【特許文献２】特開２００３−１２３２５７号公報
【発明の開示】
【発明が解決しようとする課題】
【０００８】
そこで、この発明は上記事情を考慮してなされたもので、効率よく、かつ、ノイズ等の外乱に影響され難く正確な同期検出及び物理アドレス検出を可能にし得る同期信号検出装置及び同期信号検出方法を提供することを目的とする。
【課題を解決するための手段】
【０００９】
この発明に係る同期信号検出装置は、第１のデータ単位でなる同期領域と第１のデータ単位の複数の集合体でなるアドレス領域とを含む第２のデータ単位が繰り返し配列される同期位相検出信号を生成する生成手段と；生成手段で生成された同期位相検出信号を第１のデータ単位の周期でカウントした値と、第１のデータ単位の数を第２のデータ単位の周期でカウントした値とに基づいて、同期領域の位置に対応した同期窓信号を発生する発生手段と；生成手段で生成された同期位相検出信号から同期領域の状態を判別して、アドレス領域の先頭を示す同期信号を検出する検出手段と；発生手段による同期窓信号の発生期間に検出手段から出力された検出信号を同期検出信号として出力する出力手段とを備えるようにしたものである。
【００１０】
また、この発明に係る同期信号検出方法は、第１のデータ単位でなる同期領域と第１のデータ単位の複数の集合体でなるアドレス領域とを含む第２のデータ単位が繰り返し配列される同期位相検出信号を生成する第１の工程と；第１の工程で生成された同期位相検出信号を第１のデータ単位の周期でカウントした値と、第１のデータ単位の数を第２のデータ単位の周期でカウントした値とに基づいて、同期領域の位置に対応した同期窓信号を発生する第２の工程と；第１の工程で生成された同期位相検出信号から同期領域の状態を判別して、アドレス領域の先頭を示す同期信号を検出する第３の工程と；第２の工程による同期窓信号の発生期間に第３の工程で得られた検出信号を同期検出信号として出力する第４の工程とを備えるようにしたものである。
【発明の効果】
【００１１】
上記した構成及び方法によれば、同期位相検出信号を第１のデータ単位の周期でカウントした値と、第１のデータ単位の数を第２のデータ単位の周期でカウントした値とに基づいて発生した同期窓信号の発生期間に、同期位相検出信号から同期領域の状態を判別して検出された同期信号を同期検出信号として出力するようにしたので、効率よく、かつ、ノイズ等の外乱に影響され難く正確な同期検出を行なうことができ、ひいては、物理アドレスの正確な検出を可能にすることができる。
【発明を実施するための最良の形態】
【００１２】
以下、この発明の実施の形態について図面を参照して詳細に説明する。図１は、この発明の一実施の形態に係る光ディスク装置の構成例を説明する図である。図２は、この発明の一実施の形態に係る光ディスク装置のピックアップの構成例を説明する図である。図３は、この発明の一実施の形態に係る光ディスク装置のウォブルＰＬＬ部／アドレス検出部の構成例を説明する図である。
【００１３】
この発明の一実施の形態に係る光ディスク装置は、図１及び図２に示すような構成を有している。ここで、光ディスク１１は、ユーザデータを記録（または書替）可能な光ディスクとして説明を行なう。
【００１４】
記録または書替可能な光ディスクとしては、例えば、波長４０５ｎｍ前後の青色系レーザ光を用いた次世代ＤＶＤ−ＲＡＭ、ＤＶＤ−ＲＷ、ＤＶＤ−Ｒ等や、あるいは波長６５０ｎｍ前後の赤色系レーザ光を用いた現世代ＤＶＤ−ＲＡＭ、ＤＶＤ−ＲＷ、ＤＶＤ−Ｒ等がある。
【００１５】
光ディスク１１の表面には、スパイラル状にランドトラック及びグルーブトラックが形成されている。この光ディスク１１は、スピンドルモータ１２によって回転駆動される。このスピンドルモータ１２は、モータ制御回路１３によってその回転速度が制御されている。
【００１６】
光ディスク１１に対する情報の記録、再生は、ピックアップ１４によって行なわれる。ピックアップ１４は、スレッドモータ１５とギアを介して連結されている。このスレッドモータ１５は、データバス１６に接続されるスレッドモータドライバ１７により制御される。スレッドモータ１５の固定部には、図示しない永久磁石が設けられており、図示しない駆動コイルが励磁されることにより、ピックアップ１４が光ディスク１１の半径方向に移動する。
【００１７】
ピックアップ１４には、図２に示すように対物レンズ１８が設けられている。対物レンズ１８は、駆動コイル１９の駆動によりフォーカシング方向（レンズの光軸方向）への移動が可能で、また、駆動コイル２０の駆動によりトラッキング方向（レンズの光軸と直交する方向）への移動が可能であって、レーザ光のビームスポットを移動することで、トラックジャンプを行なうことができる。
【００１８】
変調回路２１は、情報記録時にホスト装置２２からインタフェース回路２３を介して供給されるユーザデータを例えば８−１４変調（ＥＦＭ）して、ＥＦＭデータを生成する。レーザ制御回路２４は、情報記録時（マーク形成時）に、変調回路２１から供給されたＥＦＭデータに基づいて、書き込み用信号を半導体レーザダイオード２５に提供する。また、レーザ制御回路２４は、情報読み取り時には書き込み信号より小さい読み取り用信号を半導体レーザダイオード２５に提供する。
【００１９】
半導体レーザダイオード２５は、レーザ制御回路２４から供給される書き込み用信号に応じてレーザ光を発生する。半導体レーザダイオード２５から発せられるレーザ光は、コリメータレンズ２６、ハーフプリズム２７、光学系２８、対物レンズ１８を介して光ディスク１１上に照射される。光ディスク１１からの反射光は、対物レンズ１８、光学系２８、ハーフプリズム２７、集光レンズ２９を介して、光検出器３０に導かれる。
【００２０】
光検出器３０は４分割の光検出セルからなり、信号Ａ，Ｂ，Ｃ，ＤをＲＦアンプ３１に供給する。ＲＦアンプ３１は、（Ａ＋Ｄ）−（Ｂ＋Ｃ）に対応するトラッキングエラー信号ＴＥをトラッキング制御部３２に供給し、（Ａ＋Ｃ）−（Ｂ＋Ｄ）に対応するフォーカスエラー信号ＦＥをフォーカシング制御部３３に供給する。
【００２１】
さらに、ＲＦアンプ３１は、（Ａ＋Ｄ）−（Ｂ＋Ｃ）に対応するウォブル信号ＷＢをウォブルＰＬＬ部／アドレス検出部３４に供給し、（Ａ＋Ｄ）＋（Ｂ＋Ｃ）に対応するＲＦ信号をデータ再生部３５に供給する。
【００２２】
一方、フォーカシング制御部３３の出力信号は、フォーカシング方向の駆動コイル１９に供給される。これにより、レーザ光が光ディスク１１の記録膜上に常時ジャストフォーカスとなる制御がなされる。また、トラッキング制御部３２は、トラッキングエラー信号ＴＥに応じてトラック駆動信号を生成し、トラッキング方向の駆動コイル２０に供給している。
【００２３】
上記フォーカシング制御及びトラッキング制御がなされることで、光検出器３０の光検出セルの出力信号の和信号ＲＦは、記録情報に対応して光ディスク１１のトラック上に形成されたピット等からの反射率の変化が反映される。この信号は、データ再生部３５に供給される。
【００２４】
データ再生部３５は、ＰＬＬ回路３６からの再生用クロック信号に基づき、記録データを再生する。また、データ再生部３５は信号ＲＦの振幅を測定する機能を有し、該測定値はＣＰＵ３７によって読み出される。
【００２５】
上記トラッキング制御部３２によって対物レンズ１８が制御されているとき、対物レンズ１８が光ディスク１１の最適位置となるように、スレッドモータ１５が制御されることで、ピックアップ１４が制御される。
【００２６】
モータ制御回路１３、レーザ制御回路２４、フォーカシング制御部３３、トラッキング制御部３２、データ再生部３５、ＰＬＬ回路３６等は、サーボ制御回路として１つのＬＳＩチップ内に構成することができる。
【００２７】
また、これらの回路部は、バス１６を介してＣＰＵ３７によって制御される。ＣＰＵ３７は、インタフェース回路２３を介してホスト装置２２から提供される動作コマンドに基づき、この光ディスク装置を総合的に制御している。
【００２８】
さらに、ＣＰＵ３７は、ＲＡＭ３８を作業エリアとして使用し、ＲＯＭ３９に記録されたプログラムに従って所定の動作を行なう。
【００２９】
そして、上記データ再生部３５で再生されたデータは、エラー訂正回路４０によってエラー訂正処理が施された後、映像、副映像及び音声等の再生に供される。
【００３０】
図３は、図１のウォブルＰＬＬ部／アドレス検出部３４に対応する回路構成（ウォブル信号から物理アドレスを生成する構成を含む）の具体例を示している。この構成の主要部は、大きくいって、ウォブルＰＬＬ回路４１、ＳＹＮＣ検出回路（同期信号検出回路）４２及び物理アドレス領域先頭検出回路（アドレス検出回路）４３に分けられる。
【００３１】
ここで、ウォブルＰＬＬ回路４１は、ウォブル信号ＷＢをデジタル化するＡ／Ｄ回路４４と、その出力を積分する積分回路（ＳＩＮ同期位相検出回路）４５と、その出力をアナログ化するＤ／Ａ回路４６と、Ｄ／Ａ回路４６からの信号レベルに基づいて周期が制御される発振信号をＡ／Ｄ回路４２に供給するＶＣＯ回路４７とを有している。
【００３２】
ウォブルＰＬＬ回路４１では、ウォブル入力信号ＷＢとＳＩＮ波との積分演算が行なわれ、後述する図８〜図１３に例示されるようなＳＩＮ同期位相検出信号が作られる。ここで、ＳＩＮ同期位相検出信号は、反転位相ウォブル部分（ＩＰＷ部分）は“＋”値で出力され、ノーマル位相ウォブル部分（ＮＰＷ部分）は“−”値で出力されるものとしている。このＳＩＮ同期位相検出信号から、ＳＹＮＣパターンの検出及びアドレスパターンの検出が行なわれる。図３の構成では、特に回路ブロック４２と４３に特徴があるが、これらの回路ブロックの詳細については、図７、図１４等を参照して後述する。
【００３３】
図３のウォブルＰＬＬ部／アドレス検出部３４は、ウォブルＰＬＬ回路４１、ＳＹＮＣ検出回路４２及び物理アドレス領域先頭検出回路４３の他に、物理アドレス保持部４８を含んで構成されている。
【００３４】
図３に示した回路ブロック４１〜４８は、ディスクリート電子部品で構成することもできるが、量産時にはＩＣ（コントローラＬＳＩ）化することが望ましい。
【００３５】
図４は、上記光ディスク装置のウォブルＰＬＬ部／アドレス検出部３４における信号読み取り時の信号波形例を示している。図５は、この光ディスク装置が扱う光ディスクの記録トラックの周辺レイアウトの一例を示している。図６は、この光ディスク装置が扱う光ディスクのウォブル信号の物理アドレスフォーマット（次世代ＤＶＤ物理アドレスフォーマット）の一例を示している。
【００３６】
図４は、光ディスク（記録媒体）１１のアドレッシング方法として、記録トラックをウォブル変調で対応したときの各信号関係を例示した図である。蛇行（ウォブル）した記録トラックからデジタルデータを再生していく（または、デジタルデータを記録していく）が、このとき記録されたデータは指定された位置に記録されている。
【００３７】
そして、それを決定した物理アドレス情報は、記録トラックのウォブルに対応したウォブル信号ＷＢを読み出して復調することで得られる。図４は、トラック上の読み取りビーム４９と検出されたウォブル信号ＷＢとウォブル変調で情報を埋め込む場合の変調規則とを例示している。ここでは、ウォブル信号ＷＢのサイン波（ノーマル位相ウォブル：ＮＰＷ）をビット情報“０”とし、反転のサイン波（反転位相ウォブル：ＩＰＷ）を“１”として用いて、アドレス情報が記録されている。
【００３８】
図５は、光ディスク（記録媒体）１１の記録トラックがランド／グルーブ共に使われる構造に対する、物理アドレス情報のレイアウトを例示している。この例では、ウォブル変調によるアドレッシングは、グルーブトラックで行なうため、ランドトラックに対する記録再生でも正しいアドレッシングが構成されていなければならない。
【００３９】
そこで、ゾーン方式という構造が採用され、光ディスク１１をラジアル方向で複数ゾーンに分割し、各ゾーン内は記録容量が一定のセグメントパケットを構成し、そこに物理アドレス情報である“ゾーン番号”、“トラック番号”、“セグメント番号”がグルーブトラックのウォブル変調で埋め込まれる。
【００４０】
ゾーンが変わると、記録密度が略等しい単位でセグメントを構成するように分割角度を変更して、記録容量を最適化している。図５のような構成にすると、ランド／グルーブ方式でも、グルーブウォブルによるアドレス情報は、トラック番号を除けば隣接トラック間では同じ値になり、ランドトラックでも物理アドレス情報が読み出せるようになる。トラック番号は、ランド用とグルーブ用とを配置することでランドでもグルーブでも情報が得られるように構成されるため、問題は生じない。
【００４１】
図６は、物理アドレスのデータ構造を全体の関係で例示した図である。物理アドレス情報は、ＷＤＵ（wobble data unit）１７組（５０〜５２）で構成されたＷＡＰ（wobble address in periodic position）と呼ばれる集合体５３〜５５に埋め込まれる。このＷＡＰが連結してトラックウォブルができ上がるため、ＷＡＰで決められる周期が物理アドレスデータの埋め込まれた周期になる。
【００４２】
物理アドレスデータ５４は３９ビットで構成される。ここで、“セグメント情報（segment information）”、“セグメントアドレス（segment address）”、“ゾーンアドレス（zone address）”、“パリティアドレス（parity address）”、“グルーブトラックアドレス（groove track address）”及び“ランドトラックアドレス（land track address）”の情報ビット群５６は３ビットづつに分割され、各ＷＤＵに分配されて変調処理によって埋め込まれる。このようにして、ゾーン番号５７、トラック番号５８、セグメント番号５９が格納される。
【００４３】
アドレス情報が埋め込まれるＷＤＵ５１は３ビットでアドレス情報を構成しており、各１ビットは４ウォブルに対応させている。物理アドレス情報３ビットの前の各ＷＤＵの先頭４ウォブルはＩＰＷで構成され、ＷＤＵの先頭識別が容易になる構成をとっている。結果として各ＷＤＵのアドレス情報埋め込み以降の６８ウォブルはＮＰＷと規定している。
【００４４】
アドレスデータ全体は３９ビットであることから、必要なＷＤＵ５１は１３ユニットとなり、先頭側ＷＤＵにはＷＡＰの同期信号５３が配置され、後方側の３ユニットは無変調のユニット（Unity field）５５で構成される。
【００４５】
このようなトラックウォブル変調で物理アドレスが埋め込まれた記録トラックには、情報データが記録される。この場合の記録データは、７７３７６バイトのデータに対して、先頭に７１バイトのＶＦＯ（再生動作時、データ復調用チャネルクロックを生成し易いようにするための一定周波数信号）、後方にはデータブロック接続処理を行なうための“ＰＡ領域（PA field）”、“リザーブ領域（reserved field）”及び“バッファ領域（buffer field）”の計２２バイトが記録される。
【００４６】
トータルで７７４６９バイトが７物理セグメント（physical segment）（９９９６ウォブル相当）に記録される。このような約束事で情報データが“physical segment”アドレスデータを使って指定された場所に記録されることになる。このため、physical segmentの正確なアドレスデータ読み出しが重要になる。
【００４７】
光ディスク１１には、以上のような構成でトラックウォブルを変調して物理アドレスが記録されている。このような光ディスク１１のウォブルから物理アドレスを読み出す場合は、ウォブル信号ＷＢから同期信号を検出し、この同期信号に応じたタイミング信号を生成させ、このタイミング信号に応じて、アドレス情報をウォブル信号から抜き出し復調して取得する。
【００４８】
図７は、上記ＳＹＮＣ検出回路４２の一例を示している。このＳＹＮＣ検出回路４２のブロック構成は、大きくいって、ＳＹＮＣ検出部［シフトレジスタ６０＋パターン演算部（状態／エッジレベル算出）６１＋比較判定部（ＳＹＮＣ検出）６２＋Gate／カウンタ補正値／ＳＹＮＣ検出フラグ生成部６３］と、カウンタ／ＳＹＮＣ検出窓生成部（ＷＤＵ周期カウンタ６４＋Segment周期カウンタ６５＋ＳＹＮＣ検出窓生成部６６)とに分けられる。
【００４９】
ＳＹＮＣ検出部６０〜６３では、所定のＳＹＮＣパターン位置（図６のＷＡＰ“０”番目）の８４ウォブル信号の内、ＳＹＮＣパターン特有の部分であるＩＰＷ６ウォブル＋ＮＰＷ４ウォブル＋ＩＰＷ６ウォブル部分を検出する回路である。まず、最初に、ウォブルＰＬＬ回路４１からのＳＩＮ同期位相検出信号をシフトレジスタ６０でシフト処理する。
【００５０】
シフトレジスタ６０の処理結果は、パターン演算部６１に入力され、そこで、シフト処理した信号の符号変化点（ＩＰＷ→ＮＰＷ／ＮＰＷ→ＩＰＷ：エッジ検出）の差分演算、及びエッジ変化点以外での信号の符号比較による状態の安定（符号一致）検出を行なう。比較判定部６２では、パターン演算部６１でのエッジ検出値が閾値以上であり、かつ状態がＳＹＮＣと一致していると判定できた場合に、同期信号が検出されたものとして検出信号を出力する。
【００５１】
次に、カウンタ／ＳＹＮＣ検出窓生成部６４〜６６では、ＷＤＵ周期カウンタ６４により、１ＷＤＵ（図６のＳＹＮＣ、物理アドレス、Unity領域のそれぞれの８４ウォブル）をカウントアップするとともに、Segment周期カウンタ６５により、１ＷＡＰの構成要素１７をカウントアップする。そして、これらのカウンタ６４，６５の出力に基づいて、ＳＹＮＣ検出窓生成部６６により、図１０〜図１３に示すＳＹＮＣ検出窓（Gate）信号が生成される。
【００５２】
図８は、ＳＹＮＣパターン検出の動作タイミングを示している。ＳＹＮＣパターンの検出では、状態判定とエッジレベル判定との両方の判定により、ＳＹＮＣパターンを満たしていると判断された場合に、ＳＹＮＣ検出されたものとする。
【００５３】
状態判定は、ＳＩＮ同期位相検出信号の“＋”または“−”レベルの状態一致を判定している。エッジレベル判定は、ＳＩＮ同期位相検出信号の符号の変化点の差分の信号レベルを判定しており、ある閾値以上だった場合に正しいエッジレベルの信号であると判定する。
【００５４】
図８では、状態判定とエッジレベル判定とを、ＳＹＮＣパターン（ＩＰＷ６ウォブル＋ＮＰＷ４ウォブル＋ＩＰＷ６ウォブル）及びＳＹＮＣパターンの前後のUnity３ウォブルを使用して判定している。このため、ＳＹＮＣパターンの先頭を、ＷＤＵ周期カウンタ６４及びSegment周期カウンタ６５の“０”とし、ＳＹＮＣ検出位置はＷＤＵ周期カウンタ６４＝１８、Segment周期カウンタ６５＝０となる。
【００５５】
図９は、例えば電源立ち上げ時等のような初期状態の動作タイミングを示している。最初は、ＷＤＵ周期カウンタ６４及びSegment周期カウンタ６５ともＳＹＮＣ信号に同期していないため、ＳＹＮＣ検出はＳＹＮＣパターンで行なわれる。
【００５６】
この場合、本願と同じ発明者の発明であって、本願と同じ出願人によって出願された特願２００４−１９３７６８に開示されている、Unityを用いたＳＹＮＣ検出を行なうことにより、ＳＹＮＣ検出の精度をより向上させることができる。
【００５７】
ＳＹＮＣ検出された場合は、本来のＳＹＮＣ検出位置であるＷＤＵ周期カウンタ６４＝１８、つまり、ＳＹＮＣ検出された次のＷＤＵ周期カウンタ６４の値を“１９”に補正するとともに、Segment周期カウンタ６５＝０にカウンタ補正を行なう。また、このときＳＹＮＣ検出フラグを立てる。
【００５８】
図１０は、少なくとも１度ＳＹＮＣ検出されＳＹＮＣ検出フラグが立っているときに、特にノイズや外乱等の影響がないため、前のＳＹＮＣ検出から正常なセグメント周期（１セグメント＝１４２８ウォブル：ＳＹＮＣ＋１３物理アドレス＋３Unity）でＳＹＮＣ検出されたときの動作タイミングを示している。
【００５９】
このＳＹＮＣ検出では、ＷＤＵ周期カウンタ６４及びSegment周期カウンタ６５を使用してＳＹＮＣ検出窓を開き、そのＳＹＮＣ検出窓内に検出されたときにＳＹＮＣ検出されたと判定する。
【００６０】
この検出では、物理規格で補償されたセグメント周期を満たしており、このＳＹＮＣ検出窓内で検出されたＳＹＮＣパターン検出によるＳＹＮＣは、信頼性が高いと言える。ＳＹＮＣ検出窓はＷＤＵ周期カウンタ６４＝１８±１であるが、ＷＤＵ周期カウンタ６４単位（１ウォブル単位）で±ｎ開けるものとする。
【００６１】
図１０では、ＳＹＮＣパターン検出により状態判定を満たし、かつ、エッジレベルが閾値以上のポイント（ＳＹＮＣ検出窓内に複数の閾値以上のポイントがあった場合は、最もレベルの高いポイントを用いる）がＷＤＵ周期カウンタ６４＝１８のところであるので、その１つ前のＳＹＮＣ検出ポイントから１４２８ウォブル後に検出されたことになり、ＷＤＵ周期カウンタ６４の補正は必要ない。
【００６２】
なお、ＳＹＮＣ検出フラグは、今回のＳＹＮＣ検出でＳＹＮＣ未検出であったとき、または、今回、次回以降連続複数回のＳＹＮＣ検出で連続して未検出であったときに落とすこととする。
【００６３】
図１１は、少なくとも１度ＳＹＮＣ検出されＳＹＮＣ検出フラグが立っているときに、ノイズや外乱等の影響により、前のＳＹＮＣ検出から１ウォブル前（セグメント周期−１：１４２７ウォブル後）でＳＹＮＣ検出されたときの動作タイミングを示している。
【００６４】
このＳＹＮＣ検出においても、図１０と同様に、ＷＤＵ周期カウンタ６４＝１８±１にてＳＹＮＣ検出窓を開き、そのＳＹＮＣ窓内に検出されたときにＳＹＮＣ検出されたと判定する。
【００６５】
図１１では、ＳＹＮＣパターン検出により状態判定を満たし、かつ、閾値を満たしているエッジレベルのポイントがＷＤＵ周期カウンタ６４＝１７であり、１つ前のＳＹＮＣ検出ポイントからセグメント周期の１４２８ウォブルではなく、１４２７ウォブルでＳＹＮＣ検出されているので、ＷＤＵ周期カウンタ６４は“−１”遅れている。このため、ＳＹＮＣ検出窓の立ち下がり位置でＷＤＵ周期カウンタ６４を“＋１”早くする補正、つまり、ＷＤＵ周期カウンタ６４＝２０→２１を行なう。
【００６６】
図１２は、少なくとも１度ＳＹＮＣ検出されＳＹＮＣ検出フラグが立っているときに、ノイズや外乱等の影響により、前のＳＹＮＣ検出から１ウォブル後（セグメント周期＋１：１４２９ウォブル後）でＳＹＮＣ検出されたときの動作タイミングを示している。
【００６７】
このＳＹＮＣ検出においても、図１１と同様に、ＷＤＵ周期カウンタ６４＝１８±１にてＳＹＮＣ検出窓を開き、そのＳＹＮＣ窓内に検出されたときにＳＹＮＣ検出されたと判定する。
【００６８】
図１２では、ＳＹＮＣパターン検出により状態判定を満たし、かつ、閾値を満たしているエッジレベルのポイントがＷＤＵ周期カウンタ６４＝１９であり、１つ前のＳＹＮＣ検出ポイントからセグメント周期の１４２８ウォブルではなく、１４２９ウォブルでＳＹＮＣ検出されているので、ＷＤＵ周期カウンタ６４は“＋１”進んでいる。このため、ＳＹＮＣ検出窓の立ち下がり位置でＷＤＵ周期カウンタ６４を“−１”遅くする補正、つまり、ＷＤＵ周期カウンタ６４＝２０→１９を行なう。
【００６９】
図１３は、ＳＹＮＣ誤検出する可能性のあるタイミングパターンを示している。この場合、物理アドレス領域のアドレスパターンがノイズや外乱等により、ＳＹＮＣパターンとして見られるが、この実施の形態では、ＳＹＮＣ検出窓は、ＳＹＮＣ領域（図６のＷＡＰ“０”番目：Segment周期カウンタ６５＝０）のときのみ開くため、ＳＹＮＣパターン検出において誤検出があったとしても、ＳＹＮＣ検出窓のGateで落ち、ＳＹＮＣの誤検出はない。
【００７０】
図１４は、カウンタ方式及びＳＹＮＣパターン検出方式を用いたＳＹＮＣ検出の変形例として、物理アドレス領域先頭検出を行なうブロック図の例を示している。図６に示したように、物理アドレス（５４）はＳＹＮＣパターン（５３）直後から始まるため、ＳＹＮＣ検出を行なった後でなければ正しい物理アドレスを検出することはできない。
【００７１】
そこで、図７のＳＹＮＣ検出回路４２から出力されたＳＹＮＣ出力により、ＳＹＮＣ検出が行なわれたことを示すフラグを立てるようにする。そして、このＳＹＮＣ検出が行なわれたことを示すフラグが立っている場合に物理アドレス検出を行なう。
【００７２】
すなわち、図１４の回路構成において、ＳＹＮＣ検出回路４２のＳＹＮＣ出力をカウンタ／比較イネーブル生成部６７に入力し、ＳＹＮＣ検出が行なわれたことを示すフラグを立てる。このフラグがアクティブ（＝“１”）であるときに、ＳＩＮ同期位相検出信号をカウントするＷＤＵ周期カウンタ６８及びSegment周期カウンタ６９の出力に基づいて、アドレス先頭検出窓を生成するアドレス先頭検出窓生成部７０を駆動させている。
【００７３】
一方、 図７の回路構成と同様に、ＳＩＮ同期位相検出信号をシフトレジスタ７１とパターン演算部７２とで処理する。そして、シフト処理した信号の符号変化点（ＩＰＷ→ＮＰＷ／ＮＰＷ→ＩＰＷ：エッジ検出）の差分演算、及びエッジ変化点以外での信号の符号比較による状態の安定（符号一致）検出を行なう。
【００７４】
比較判定部７３は、ＳＹＮＣ検出が行なわれたことを示すフラグ＝“１”であるときに、パターン演算部７２でのエッジ検出値が閾値以上であり、かつ状態がアドレス先頭と一致している（例えばＳＩＮ同期位相検出信号が“＋＋＋＋”）と判定できた場合に、アドレス先頭が検出されたものとして、アドレス先頭検出信号を出力する。
【００７５】
このようにして比較判定部７３から出力されたアドレス先頭検出信号は、アドレス先頭検出窓の発生期間に、アドレス領域先頭位置を捕らえるための信号として、Gate／カウンタ補正値生成部７４を介して物理アドレス保持部４８に入力される。
【００７６】
なお、アドレス先頭検出窓が開いていない期間に比較判定部７３からアドレス先頭検出信号が発生されたときは、この信号は誤検出によるものとして、Gate／カウンタ補正値生成部７４を通さない。
【００７７】
物理アドレス保持部４８は、アドレス先頭検出信号を受けると、その直後からのＳＩＮ同期位相検出信号を物理アドレス情報として取り込み保持する。こうして保持された物理アドレス情報（３ビットのアドレスbit２〜bit０）が、物理アドレス出力となる。
【００７８】
図１５は、物理アドレス先頭検出を行なう動作タイミングを示している。この例では、ＷＤＵ周期カウンタ６８＝２〜４で物理アドレス先頭検出窓を開いている。ＷＤＵ周期カウンタ６８＝３で物理アドレス先頭が検出された場合は、ＷＤＵ周期カウンタ補正は行なわず、ＷＤＵ周期カウンタ６８＝４〜１５のbit２〜０のそれぞれ４ウォブル加算値の符号を物理アドレスとしてラッチし、物理アドレスを取得する。
【００７９】
物理アドレス先頭検出窓内でＷＤＵ周期カウンタ６８＝２または４で物理アドレスの先頭が検出された場合は、それぞれＷＤＵ周期カウンタ６８を補正し、同様に物理アドレスを取得する。
【００８０】
なお、この発明は上記した実施の形態そのままに限定されるものではなく、実施段階ではその要旨を逸脱しない範囲で構成要素を種々変形して具体化することができる。また、上記した実施の形態に開示されている複数の構成要素を適宜に組み合わせることにより、種々の発明を形成することができる。例えば、実施の形態に示される全構成要素から幾つかの構成要素を削除しても良いものである。さらに、異なる実施の形態に係る構成要素を適宜組み合わせても良いものである。
【図面の簡単な説明】
【００８１】
【図１】この発明の実施の形態を示すもので、光ディスク装置を説明するために示すブロック構成図。
【図２】同実施の形態における光ディスク装置のピックアップの一例を説明するために示す図。
【図３】同実施の形態における光ディスク装置のウォブルＰＬＬ部／アドレス検出部の一例を説明するために示す図。
【図４】同実施の形態における光ディスク装置のウォブルＰＬＬ部／アドレス検出部での信号読み取り時の信号波形を説明するために示す図。
【図５】同実施の形態における光ディスク装置が扱う光ディスクの記録トラックの周辺レイアウトを説明するために示す図。
【図６】同実施の形態における光ディスク装置が扱う光ディスクのウォブル信号の物理アドレスフォーマットを説明するために示す図。
【図７】同実施の形態における光ディスク装置のウォブルＰＬＬ部／アドレス検出部のＳＹＮＣ検出回路を説明するために示すブロック構成図。
【図８】同実施の形態における光ディスク装置のＳＹＮＣパターン検出の動作タイミングを説明するために示す図。
【図９】同実施の形態における光ディスク装置の初期状態でのＳＹＮＣパターン検出の動作タイミングを説明するために示す図。
【図１０】同実施の形態における光ディスク装置の正常状態でのＳＹＮＣパターン検出の動作タイミングを説明するために示す図。
【図１１】同実施の形態における光ディスク装置のノイズや外乱を受けた状態でのＳＹＮＣパターン検出の動作タイミングの一例を説明するために示す図。
【図１２】同実施の形態における光ディスク装置のノイズや外乱を受けた状態でのＳＹＮＣパターン検出の動作タイミングの他の例を説明するために示す図。
【図１３】同実施の形態における光ディスク装置のＳＹＮＣを誤検出する可能性のあるウォブル信号でのＳＹＮＣ検出の動作タイミングを説明するために示す図。
【図１４】同実施の形態における光ディスク装置のウォブルＰＬＬ部／アドレス検出部の物理アドレス領域先頭検出回路を説明するために示すブロック構成図。
【図１５】同実施の形態における光ディスク装置の物理アドレス先頭検出の動作タイミングを説明するために示す図。
【符号の説明】
【００８２】
１１…光ディスク、１４…ピックアップ、３０…光検出器、３１…ＲＦアンプ、３２…トラッキング制御部、３３…フォーカシング制御部、３４…ウォブルＰＬＬ部／アドレス検出部、３５…データ再生部、３７…ＣＰＵ、４１…ウォブルＰＬＬ回路、４２…ＳＹＮＣ検出回路、４３…物理アドレス領域先頭検出回路、４８…物理アドレス保持部、６０…シフトレジスタ、６１…パターン演算部、６２…比較判定部、６３…Gate／カウンタ補正値／ＳＹＮＣ検出フラグ生成部、６４…ＷＤＵ周期カウンタ、６５…Segment周期カウンタ、６６…ＳＹＮＣ検出窓生成部、６７…カウンタ／比較イネーブル生成部、６８…ＷＤＵ周期カウンタ、６９…Segment周期カウンタ、７０…アドレス先頭検出窓生成部、７１…シフトレジスタ、７２…パターン演算部、７３…比較判定部、７４…Gate／カウンタ補正値生成部。
【図１】
2006185547.tif 000003
【図２】
2006185547.tif 000004
【図３】
2006185547.tif 000005
【図４】
2006185547.tif 000006
【図５】
2006185547.tif 000007
【図６】
2006185547.tif 000008
【図７】
2006185547.tif 000009
【図８】
2006185547.tif 000010
【図９】
2006185547.tif 000011
【図１０】
2006185547.tif 000012
【図１１】
2006185547.tif 000013
【図１２】
2006185547.tif 000014
【図１３】
2006185547.tif 000015
【図１４】
2006185547.tif 000016
【図１５】
2006185547.tif 000017